(57)【要約】【課題】ポケットへの物の出し入れが簡単で、ポケットに入れた物が落ちにくく、作業しやすい衣服を提供する。【解決手段】着用したときポケット３、５が腹部又は腰部の高さでかつ体側部となるようにポケット３、５が取り付けられている。さらにこのポケット３、５の入口部２１、２３を上方にし、前身頃１５側に比べ後身頃１３側が低い位置となるように傾斜してポケット３、５を取り付けることで、ポケット３、５に入れた物が落ちにくくなる。また、中央部３７が開口するように帯状の布で縁取りし、上部から名札を出し入れする、カード状の名札を収納可能な名札ホルダー１１を設けることで作業のしやすい衣服とすることができる。【選択図】図２
2010216025.tif 000002
【特許請求の範囲】
【請求項１】
着用したときポケットが腹部又は腰部の高さでかつ体側部となるようにポケットが取り付けられていることを特徴とする衣服。
【請求項２】
前記ポケットは、ポケットの入口部が上部であり、前身頃側に比べ後身頃側が低い位置となるように傾斜して取り付けられていることを特徴とする請求項１に記載の衣服。
【請求項３】
さらに、中央部が開口するように帯状の布で縁取りされ、上部から名札を出し入れする、カード状の名札を収納可能な名札ホルダーを備えることを特徴とする請求項１又は２に記載の衣服。
【請求項４】
さらに、前記ポケットの下方にさらにポケットが設けられ、該ポケットの入口部の上方に両端部が固定されたループ状の紐状掛止体を備えることを特徴とする請求項１から３のいずれか１項に記載の衣服。
【請求項５】
前記衣服が、エプロン、介護用ユニフォーム、白衣、作業服のいずれか１であることを特徴とする請求項１から４のいずれか１項に記載の衣服。
【発明の詳細な説明】
【技術分野】
【０００１】
本発明は、ポケットを有する衣服に関し、特にポケットに入れた物が落下しにくい衣服に関する。
【背景技術】
【０００２】
介護従事者が介護作業を行うとき、以下のような問題が指摘されている。介護従事者は、身分等を認識してもらう手段として、吊り下げ紐に名札ホルダー（カードホルダー）を取り付け、これを首からぶら下げることが多い。この方法は介護従事者のみならず、会社などでも従業員の身分証明の方法として多く用いられている方法である。介護従事者がこの方法を使用すると、介護作業時に名札ホルダー又は名札ホルダーのクリップ部分が被介護者の顔に当たり怪我を負わせることがある。また介護従事者は、作業中は前屈みとなることが多く、その場合、名札ホルダーが安定しないため作業の妨げとなる。これらの問題を解決する方法として、表面側の一部をメッシュ生地とし、表面側の残部を布地とした名札ホルダーを作業服の左胸部に取り付けた作業服が提案されている（例えば特許文献１参照）。
【０００３】
また、介護従事者は前屈みによる作業が多いため、エプロン、ユニフォームなどの作業服のポケットから中身が落下することも多く、作業の妨げとなっている。さらに従来の作業服は、ポケットが腰部より少し高い位置で作業服の前面に設けられているため、ポケットが車椅子のハンドルに引っ掛かるなどして、ポケットの縁が裂けることも多い。さらにこの時の衝撃が車椅子に座っている被介護者に伝わり不快感を与える点も従来から指摘されているところである。
【先行技術文献】
【特許文献】
【０００４】
【特許文献１】特開２００２−２１５０３５号公報
【発明の概要】
【発明が解決しようとする課題】
【０００５】
特許文献１に記載の作業服は、名札ホルダーを直接作業服に取り付ける構造のため、吊り下げ紐を使用する場合の問題点は解消される。また名札ホルダーが布地、糸で形成されているので、被介護者に怪我や不快感を与えず、さらに前面部がメッシュ構造となっているので、水切れが良く洗濯後の乾きも早いとある。しかしながら前面部をメッシュ構造としているので、名札全体が見えにくく、特に顔写真がある場合はさらに見えにくいと思われる。名札や身分証明書は、相手に見えやすく短時間内に認識できることが重要であり、この点に関しては十分とは言えない。また、洗濯は容易で乾き易いとあるが、名札ホルダーは３層の布から構成されており、作業服に取り付けると布は４層となり、乾き易いとは言い難い。
【０００６】
介護従事者用のエプロン、ユニフォームなどの作業服は多くのものが市販されているが、現在までのところ、名札ホルダーの問題を解消した作業服は市販されていない。同様にポケットから中身が落下する問題も解決されていない。前屈みとなったとき作業服に設けられたポケットから中身が落下しないようにするためには、ポケットの入口部を閉じることが可能なファスナー、ボタンを設ける方法、ポケットの入口部を覆うフラップを設ける方法などが考えられるが、物、手の出し入れが面倒となり作業性が良いとは言えない。またコストの面からも好ましくない。
【０００７】
上記のような問題は、介護従事者が着用するエプロン、ユニフォームなどの作業服に限られたものではなく、医療関係者、保育士が着用する白衣、ユニフォーム、エプロン、作業服、さらにはポケットの問題に関しては家庭で使用するエプロン、工場などの作業員が着用する作業服にも当てはまる。
【０００８】
本発明の目的は、ポケットへの物の出し入れが簡単で、ポケットに入れた物が落ちにくく、作業しやすい衣服を提供することである。さらに作業に適した衣服を提供することである。
【課題を解決するための手段】
【０００９】
請求項１に記載の本発明は、着用したときポケットが腹部又は腰部の高さでかつ体側部となるようにポケットが取り付けられていることを特徴とする衣服である。
【００１０】
請求項２に記載の本発明は、請求項１に記載の衣服において、前記ポケットは、ポケットの入口部が上部であり、前身頃側に比べ後身頃側が低い位置となるように傾斜して取り付けられていることを特徴とする。
【００１１】
請求項３に記載の本発明は、請求項１又は２に記載の衣服において、さらに、中央部が開口するように帯状の布で縁取りされ、上部から名札を出し入れする、カード状の名札を収納可能な名札ホルダーを備えることを特徴とする。
【００１２】
請求項４に記載の本発明は、請求項１から３のいずれか１項に記載の衣服において、さらに、前記ポケットの下方にさらにポケットが設けられ、該ポケットの入口部の上方に両端部が固定されたループ状の紐状掛止体を備えることを特徴とする。
【００１３】
請求項５に記載の本発明は、請求項１から４のいずれか１項に記載の衣服において、前記衣服が、エプロン、介護用ユニフォーム、白衣、作業服のいずれか１であることを特徴とする。
【発明の効果】
【００１４】
本発明に係る衣服は、着用したときポケットが腹部又は腰部の高さでかつ体側部に位置するように取り付けられているので、ポケットが作業の邪魔にならず作業しやすい。また着用したときポケットが体側部に位置するので、前屈みとなったときでもポケットから中身が落下しにくく、作業しやすい。またポケットが腹部又は腰部の高さに取り付けられているので、物、手の出し入れが容易である。
【００１５】
また本発明によれば、ポケットの入口部が、前身頃側に比べ後身頃側が低い位置となるようにポケットが傾斜して取り付けられているので、前屈みとなったとき、ポケットから中身が落下しにくく作業しやすい。さらにポケットの入口部が傾斜しているので、物、手の出し入れが容易である。またポケットから中身が落下することを防止するためのファスナー、フラップなどが取り付けられていないので、物の出し入れを簡単に行うことができる。
【００１６】
また本発明によれば、中央部が開口するように帯状の布で縁取りされ、上部から名札を出し入れする、カード状の名札を収納可能な名札ホルダーを備えるので、別途、名札ホルダーを必要とせず便利である。また、名札ホルダーは、布で縁取りし形成されているので、被介護者の顔に当たっても怪我をすることがなく、被介護者を抱き抱えるようなときであっても作業しやすい。さらに名札ホルダーは、中央部が開口しているので、洗濯しても乾きやすい。
【００１７】
また本発明によれば、前記ポケットの下方にさらにポケットが設けられ、該ポケットの入口部の上方に両端部が固定されたループ状の紐状掛止体を備えるので、下方のポケットにＰＨＳ（Ｐｅｒｓｏｎａｌ  Ｈａｎｄｙｐｈｏｎｅ  Ｓｙｓｔｅｍ）又は携帯電話を入れ、ＰＨＳ又は携帯電話にストラップを取り付け、ストラップの先端部のクリップなどの掛止具を紐状掛止体に引っ掛けておけば、ＰＨＳ又は携帯電話がポケットから飛び出しても落下することがなく便利である。
【００１８】
本発明は、エプロン、介護用ユニフォーム、白衣、作業服などに好適に使用することができる。
【図面の簡単な説明】
【００１９】
【図１】本発明の第１実施形態としての折畳んだ状態のエプロン１の平面図である。
【図２】図１のエプロン１の左半分のみを開いた状態を示す図である。
【図３】図１のエプロンを着用した状態を正面から見た図である。
【図４】図１のエプロンを着用した状態を側面から見た図である。
【発明を実施するための形態】
【００２０】
図１は本発明の第１実施形態としての折畳んだ状態のエプロン１の平面図である。図２は、図１のエプロン１の左半分のみを開いた状態を示す図である。図３は、図１のエプロンを着用した状態を正面から見た図であり、図４は、図１のエプロンを着用した状態を側面から見た図である。
【００２１】
エプロン１は、袖のない布製のエプロンであり、両サイドにポケット３、ポケット５を有し、右のポケット３の下にはさらにもう１つ補助ポケット７が取り付けられ、ポケット３と補助ポケット７との間には、紐状掛止体９が設けられている。さらに左胸には、名札を収納する名札ホルダー１１が設けられている。エプロン本体２は、首下から膝までを覆う大きさで、後身頃１３（１３ａ、１３ｂ）が中央で分割され、後身頃１３ｂには左右の後身頃１３ａ、１３ｂを止めるためのボタン（図示を省略）が設けられ、後身頃１３ａにはボタン穴１７を有する掛止具１９が取り付けられている。このようなエプロン本体２は、従来から一般的に使用されているエプロンと変わるところはない。本実施形態に示すエプロン１は、両サイドに設けられたポケット３、５及びポケット３の下に設けられた補助ポケット７、紐状掛止体９及び名札ホルダー１１に従来にない特徴を有するので、これを順次説明する。
【００２２】
両サイドに設けられたポケット３、５は、エプロン本体２と同じ生地で構成され、形状は矩形であり、ポケットの入口部２１、２３が上部である点は従来からあるポケットと大きく変わるところはない。このポケット３、５は、ポケットの取り付け位置と、取り付け角度が従来のものと異なる。従来のエプロンでは、一般的に両サイドのポケットが、前身頃１５に設けられているが、このエプロン１では、両サイドのポケット３、５が、前身頃１５と後身頃１３との接合部２５に設けられ、エプロン１を着用したときポケット３、５が横腹部に位置するように取り付けられている。図３からも分かるように着用したエプロン１を正面から見ると両サイドのポケット３、５は、殆ど見えない。なお、ポケット３、５の取り付け高さは、従来のエプロンと同じである。
【００２３】
上記のようにエプロン本体２に対してポケット３、５を設けることで、従来のエプロンに比較して作業しやすいエプロンとすることができる。例えば、従来のエプロンは両サイドのポケットが前身頃に設けられているので、ポケットが車椅子のハンドルに引っ掛かり破けることがあるが、このエプロン１では、着用したときポケット３、５が横腹部に位置するので、ポケット３、５が車椅子のハンドルに引っ掛かることがない。また、被介護者を抱き抱えるとき、ポケット３、５の中身が被介護者に接触することがなく被介護者を怪我させたり、被介護者に不快感を与えることもない。またポケット３、５が横腹部に位置するように設けられているため、前屈みとなったときでもポケット３、５から中身が落下しにくく作業しやすい。
【００２４】
ポケット３、５の取り付け位置は、作業がしやすく、物、手の出し入れが容易で、前屈みとなったときでもポケット３、５から中身が落下しにくい位置であることが好ましく、このような位置は、エプロン１を着用したときポケット３、５が腹部、腰部の高さで体側部となる位置である。ポケット３、５が腹部又は腰部の高さで体側部の位置から正面側により過ぎると、ポケットが車椅子のハンドルに引っ掛かりやすく、またポケット３、５から中身が落下し易くなる。一方、ポケット３、５が腹部又は腰部の高さで体側部の位置から背中側により過ぎると、ポケットが車椅子のハンドルに引っ掛かることはないが、ポケット３、５への物の出し入れが難しくなる。
【００２５】
またポケット３、５は、ポケットの入口部２１、２３が、前身頃側１５に比べ後身頃側１３が低い位置となるように傾斜して取り付けられている。このようにポケット３、５を傾斜させ取り付けることで、ポケット３、５から中身がより落下しにくくなる。またポケット３、５を傾斜させたことで、ポケットの入口部２１、２３を水平とした場合に比べ、ポケット３、５への物、手の出し入れが容易となる。ポケット３、５を取り付ける角度は、ポケット３、５から中身が落下しにくく、またポケット３、５への物、手の出し入れが容易となる角度であれば、特定の角度に限定されるものではない。ポケットの取り付け角度を例示すれば、図２に示す水平線に対する角度αが１０°〜２０°である。
【００２６】
ポケット３の下に設けられた補助ポケット７は、ＰＨＳの収納を目的に設けられたポケットである。補助ポケット７の取り付け要領は、取り付け高さを除けばポケット３、５と同じである。ＰＨＳの代わりに携帯電話を収納してもよく、さらには他の物品を収納することもできる。
【００２７】
紐状掛止体９は、紐状の部材で形成され、主にＰＨＳに取り付けられたストラップ２７の先端部の掛止具２９を引っ掛け、ＰＨＳが補助ポケット７から飛び出しても落ちないようにするためのものであって、ポケット３と補助ポケット７との間に設けられている。紐状掛止体９は、補助ポケット９の入口部３１にほぼ平行であり、両端部がエプロン本体２に固定され、中央部はエプロン本体２と離れ、ループ状となっている。ここで示す紐状掛止体９の長さは、補助ポケット７の幅よりも短いが、補助ポケット７の幅と同じであってもよい。紐状掛止体９の材質は、エプロン本体２と同じあるが、特に限定されるものではない。
【００２８】
紐状掛止体９及び補助ポケット７の使用例を示す。ＰＨＳに取り付けられたストラップ２７の先端部の掛止具２９、例えばフック、クリップ、アミナスカンなどを紐状掛止体９に引っ掛け、ＰＨＳ本体は、補助ポケット７内に入れておく。これによりＰＨＳが補助ポケット７から飛び出しても、落下することはない。介護従事者は、連絡手段としてＰＨＳを使用することが多いので便利である。ＰＨＳの代わりに携帯電話であってもよいことは言うまでもなく、この他デジタルカメラなどにも好適に使用することができる。ＰＨＳに取り付けるストラップを、伸縮するスプリング方式のストラップとすれば、ストラップ２７の先端部の掛止具２９を紐状掛止体９に引っ掛けたまま使用することもできる。
【００２９】
名札ホルダー１１は、カード形状の名札を収納するためのもであって、エプロン本体２の左胸に設けられている。名札ホルダー１１は、布製の帯状の部材で矩形に縁取られ、底辺３３及び両側辺３５はエプロン本体２に縫付けられ、上辺はエプロン本体２に縫付けられていない。このため名札ホルダー１１の上部から名札を出し入れすることができる。名札ホルダー１１の大きさは、収納する名札とほぼ同じ大きさであり、収納された名札は、名札ホルダー１１内で移動することなく保持される。また、名札ホルダー１１は、中央部３７が大きく開口しているので、名札に記載された名前、又は顔写真を容易に視認することができる。また中央部３７が大きく開口しているので、布の重なり部分が少なく、エプロン１を洗濯しても容易に乾く。
【００３０】
第１実施形態に示したエプロン１は、上記のように両サイドに取り付けられたポケット３、５、補助ポケット７、補助ポケット７の入口部３１の上方に設けられた紐状掛止体９及び名札ホルダー１１に大きな特徴があり、これについてはエプロン以外の衣服にも適用することができる。特に介護従事者、医療従事者などが着用する介護服、介護用ユニフォーム、介護用作業服、白衣、手術着に好適に使用することができる。さらには保育士などが着用する仕事着、工業等で働く作業員が着用する作業服にも好適に適用することができる。ポケット３、５の取り付け要領に関しては、家庭用エプロンにも利用可能なことは言うまでもない。
【符号の説明】
【００３１】
１  エプロン
３  ポケット
５  ポケット
７  補助ポケット
９  紐状掛止体
１１  名札ホルダー
１３  後身頃
１５  前身頃
２１  ポケットの入口部
２３  ポケットの入口部
３１  補助ポケットの入口部
３７  名札ホルダーの中央部
【図１】
2010216025.tif 000003
【図２】
2010216025.tif 000004
【図３】
2010216025.tif 000005
【図４】
2010216025.tif 000006